(57)【特許請求の範囲】
【請求項１】
サーバ、移動局管理装置および複数の基地局から構成される無線通信システムであって、
各基地局が、
自局のセルに在圏している移動局または自局を含む複数の基地局のセルによって構成されるグループセルに在圏している移動局の情報である在圏移動局情報と、在圏している移動局のハンドオーバ情報と、を収集し、収集した情報を前記サーバへ送信する基地局情報収集手段、
を備え、
前記移動局管理装置が、
前記移動局が在圏しているセルまたはグループセルの分布情報を収集し、収集した分布情報を前記サーバへ送信する移動局管理情報収集手段と、
再構築後のグループセルを構成する基地局を示す情報である再構築後グループセル情報に基づいて、再構築後のグループセルを構成する複数の基地局とそれぞれ通信を確立する通信確立手段と、
を備え、
前記サーバが、
前記基地局および前記移動局管理装置から受信した情報に基づいて、ハンドオーバを実行した移動局の移動元セルまたは移動元グループセルを基準に、移動先セルまたは移動先グループセルのいずれか一方の移動先へのハンドオーバを実行した移動局の数を集計する移動局セル集計手段と、
前記集計された結果に基づいてグループセルを再構築するかどうかを判断し、再構築すると判断した場合に前記再構築後グループセル情報を前記移動局管理装置へ通知するグループ生成手段と、
を備えることを特徴とする無線通信システム。
【請求項２】
前記サーバの移動局セル集計手段が、
前記集計する処理として、特定のセルまたは特定のグループセルのいずれか一方の移動元から移動局がハンドオーバを実行した場合の移動先のうち、最も多くの移動局の移動先となった移動先セルまたは移動先グループセルに基づいて、当該移動先に移動した移動局の数と、前記ハンドオーバを実行した全移動局の数との比率を求める処理を行い、
前記サーバのグループ生成手段が、
前記グループセルを再構築するかどうかを判断する処理として、前記集計された結果である前記比率が所定の閾値以上であるかどうかを確認する処理を行い、当該比率が所定の閾値以上の場合に、グループセルを再構築すると判断し、
前記最も多くの移動局の移動先となった前記移動先セルまたは前記移動先グループセルと前記ハンドオーバの移動元である前記特定のセルまたは前記特定のグループセルとを統合した新たなグループセルの情報である再構築後グループセル情報を、前記移動局管理装置へ通知する、
ことを特徴とする請求項１に記載の無線通信システム。
【請求項３】
前記サーバの移動局セル集計手段が、移動局が行う通信種別ごとに前記集計する処理を行う機能を有し、最もハンドオーバの影響を受ける通信種別で通信を行う移動局を集計対象として集計を行った場合に、
前記サーバのグループ生成手段が、
前記グループセルを再構築するかどうかを判断する処理として、前記集計対象の移動局の数が集計された結果である前記比率が所定の閾値以上であるかどうかを確認する処理を行い、当該比率が所定の閾値以上の場合に、グループセルを再構築すると判断する、
ことを特徴とする請求項２に記載の無線通信システム。
【請求項４】
前記サーバのグループ生成手段が、
前記グループセルを再構築するかどうかを判断する処理として、さらに、最も多くの移動局の移動先となった前記移動先セルまたは前記移動先グループセルにハンドオーバした移動局の数が、所定の再構築実行下限値以上であるかどうかを確認する処理を行い、すべての要件を満たす場合に、グループセルを再構築すると判断する、
ことを特徴とする請求項２または３に記載の無線通信システム。
【請求項５】
前記サーバのグループ生成手段が、
前記グループセルを再構築するかどうかを判断する処理として、さらに、最も多くの移動局の移動先となった前記移動先セルまたは前記移動先グループセルと前記ハンドオーバの移動元である前記特定のセルまたは前記特定のグループセルとを統合した新たなグループセルを構成する基地局の数が、所定の上限基地局数以下であるかどうかを確認する処理を行い、すべての要件を満たす場合に、グループセルを再構築すると判断する、
ことを特徴とする請求項２、３または４に記載の無線通信システム。
【請求項６】
サーバ、移動局管理装置および複数の基地局から構成される無線通信システムにおける無線通信方法であって、
前記複数の基地局が、自局のセルに在圏している移動局または自局を含む複数の基地局のセルによって構成されるグループセルに在圏している移動局の情報である在圏移動局情報と、在圏している移動局のハンドオーバ情報と、を収集し、収集した情報を前記サーバへ送信する基地局情報送信ステップと、
前記移動局管理装置が、前記移動局が在圏しているセルまたはグループセルの分布情報を収集し、収集した分布情報を前記サーバへ送信するＭＭＥ情報送信ステップと、
前記サーバが、前記基地局および前記移動局管理装置から受信した情報に基づいて、ハンドオーバを実行した移動局の移動元セルまたは移動元グループセルを基準に、移動先セルまたは移動先グループセルのいずれか一方の移動先へのハンドオーバを実行した移動局の数を集計する移動局セル集計ステップと、
前記サーバが、前記集計された結果に基づいてグループセルを再構築するかどうかを判断し、再構築すると判断した場合に、再構築後のグループセルを構成する基地局を示す情報である再構築後グループセル情報を前記移動局管理装置へ通知するグループセル決定ステップと、
前記移動局管理装置が、前記再構築後グループセル情報に基づいて、再構築後のグループセルを構成する複数の基地局とそれぞれ通信を確立する通信確立ステップと、
を含むことを特徴とする無線通信方法。
【請求項７】
前記移動局セル集計ステップでは、
前記集計する処理として、特定のセルまたは特定のグループセルのいずれか一方の移動元から移動局がハンドオーバを実行した場合の移動先のうち、最も多くの移動局の移動先となった移動先セルまたは移動先グループセルに基づいて、当該移動先に移動した移動局の数と、前記ハンドオーバを実行した全移動局の数との比率を求める処理を行い、
前記グループセル決定ステップでは、
前記グループセルを再構築するかどうかを判断する処理として、前記集計された結果である前記比率が所定の閾値以上であるかどうかを確認する処理を行い、当該比率が所定の閾値以上の場合に、グループセルを再構築すると判断し、
前記最も多くの移動局の移動先となった前記移動先セルまたは前記移動先グループセルと前記ハンドオーバの移動元である前記特定のセルまたは前記特定のグループセルとを統合した新たなグループセルの情報である再構築後グループセル情報を前記移動局管理装置へ通知する、
ことを特徴とする請求項６に記載の無線通信方法。
【請求項８】
前記サーバが、移動局が行う通信種別ごとに前記集計する処理を行う機能を有し、最もハンドオーバの影響を受ける通信種別で通信を行う移動局を集計対象として集計を行った場合に、
前記グループセル決定ステップでは、
前記グループセルを再構築するかどうかを判断する処理として、前記集計対象の移動局の数が集計された結果である前記比率が所定の閾値以上であるかどうかを確認する処理を行い、当該比率が所定の閾値以上の場合に、グループセルを再構築すると判断する、
ことを特徴とする請求項７に記載の無線通信方法。
【請求項９】
前記グループセル決定ステップでは、
前記グループセルを再構築するかどうかを判断する処理として、さらに、最も多くの移動局の移動先となった前記移動先セルまたは前記移動先グループセルにハンドオーバした移動局の数が、所定の再構築実行下限値以上であるかどうかを確認する処理を行い、すべての要件を満たす場合に、グループセルを再構築すると判断する、
ことを特徴とする請求項７または８に記載の無線通信方法。
【請求項１０】
前記グループセル決定ステップでは、
前記グループセルを再構築するかどうかを判断する処理として、さらに、最も多くの移動局の移動先となった前記移動先セルまたは前記移動先グループセルと前記ハンドオーバの移動元である前記特定のセルまたは前記特定のグループセルとを統合した新たなグループセルを構成する基地局の数が、所定の上限基地局数以下であるかどうかを確認する処理を行い、すべての要件を満たす場合に、グループセルを再構築すると判断する、
ことを特徴とする請求項７、８または９に記載の無線通信方法。
【発明の詳細な説明】
【技術分野】
【０００１】
本発明は、複数の基地局を備えた無線通信システムに関する。
【背景技術】
【０００２】
従来、移動局および移動局を収容する基地局から構成される無線通信システムにおいて、基地局を増減設する場合は、オペレータ操作に依存するためネットワーク環境の変化に対応することができる。しかしながら、ネットワーク環境を、移動局の行動パターンまたは年数経過による都市環境の変化に追従させることは一般的に困難であった。
【０００３】
ネットワーク環境を適応的に変更する従来の方法として、たとえば、下記特許文献１には、ある基地局から送信されたテスト信号を他の基地局が受信して受信信号強度（ＲＳＳＩ）レベルを測定し、その信号強度の値によって自律的にセルラ・トポロジを決定する技術が開示されている。信号強度の値によって各基地局を同じセルに配置または隣接セルに配置してトポロジを決定する。
【０００４】
また、下記特許文献１では受信信号強度のみでトポロジを決定しているが、一方、下記非特許文献１には、電波環境が変化した場合には基地局設置前の測定調査以外に送信電力調整やアンテナ角度調整などを実施し、家庭用基地局のネットワーク情報が設定・変更された場合には自動Configurationを実施する技術が開示されている。
【０００５】
また、下記非特許文献２には、ＳＯＮ（Self-Organizing  Network）機能を用いてセルの自己最適化（Self-Optimization）を実行することにより、自律的にセル調整を実施する「Coverage  and  capacity  optimization」の技術が開示されている。例えば、下記非特許文献２では、カバレッジフォール（不感地）やセル干渉対策に向けた提案がなされている。
【０００６】
また、下記非特許文献３には、移動局のハンドオーバ成功／失敗に関する情報や測定情報（自局の受信レベルや周辺セルのレベル）、移動局の位置情報等に基づいて各基地局の送信電力やアンテナ角を調整することにより、各基地局のカバレッジを改善する技術が開示されている。
【先行技術文献】
【特許文献】
【０００７】
【特許文献１】特表平９−５０５１９６号公報
【非特許文献】
【０００８】
【非特許文献１】３ＧＰＰ  ＴＲ  ３２．８２１  Ｖ９．０．０（２００９−０６）
【非特許文献２】３ＧＰＰ  ＴＲ  ３６．９０２  Ｖ９．０．０（２００９−０９）
【非特許文献３】“Ｃｏｖｅｒａｇｅ  ｏｐｔｉｍｉｓａｔｉｏｎ”  ３ＧＰＰ  ＴＳＧ  ＲＡＮ  ＷＧ３  Ｍｅｅｔｉｎｇ  ＃５９ｂｉｓ  Ｒ３−０８０７５５  Ｍａｒｃｈ  ３１ｓｔ  −  Ａｐｒｉｌ  ３ｒｄ  ２００８
【発明の概要】
【発明が解決しようとする課題】
【０００９】
しかしながら、上記従来の技術は、マクロ基地局のためのセルの自己最適化技術である。そのため、ＬＴＥ（Long  Term  Evolution）やＬＴＥ−Ａｄｖａｎｃｅｄの導入に伴い増大することが予測される小型セル（ピコセルやフェムトセル）を構成するピコ基地局やフェムト基地局のように、移動する基地局または電源がＯＮ／ＯＦＦされることによって容易に配置が変更される基地局には、上記従来の技術を適用することができない、という問題があった。
【００１０】
本発明は、上記に鑑みてなされたものであって、セルの再構築を容易に行うことが可能な無線通信システムを得ることを目的とする。
【課題を解決するための手段】
【００１１】
上述した課題を解決し、目的を達成するために、本発明は、サーバ、移動局管理装置および複数の基地局から構成される無線通信システムであって、各基地局が、自局のセルに在圏している移動局または自局を含む複数の基地局のセルによって構成されるグループセルに在圏している移動局の情報である在圏移動局情報と、在圏している移動局のハンドオーバ情報と、を収集し、収集した情報を前記サーバへ送信する基地局情報収集手段、を備え、前記移動局管理装置が、前記移動局が在圏しているセルまたはグループセルの分布情報を収集し、収集した分布情報を前記サーバへ送信する移動局管理情報収集手段と、再構築後のグループセルを構成する基地局を示す情報である再構築後グループセル情報に基づいて、再構築後のグループセルを構成する複数の基地局とそれぞれ通信を確立する通信確立手段と、を備え、前記サーバが、前記基地局および前記移動局管理装置から受信した情報に基づいて、ハンドオーバを実行した移動局の移動元セルまたは移動元グループセルを基準に、移動先セルまたは移動先グループセルのいずれか一方の移動先へのハンドオーバを実行した移動局の数を集計する移動局セル集計手段と、前記集計された結果に基づいてグループセルを再構築するかどうかを判断し、再構築すると判断した場合に前記再構築後グループセル情報を前記移動局管理装置へ通知するグループ生成手段と、を備えることを特徴とする。
【発明の効果】
【００１２】
本発明によれば、セルの再構築を容易に行うことができる、という効果を奏する。
【図面の簡単な説明】
【００１３】
【図１】図１は、無線通信システムの構成例を示す図である。
【図２】図２は、サブフレームの構成例を示す図である。
【図３】図３は、無線通信システムにおいて生成されるメッセージを説明する図である。
【図４】図４は、ＲＲＣメッセージを同期させる方法を説明する図である。
【図５】図５は、ＰＤＣＣＨ情報を同期して実行する方法を説明する図である。
【図６】図６は、ＰＤＣＣＨ情報の同期をとる方法を説明する図である。
【図７】図７は、ユーザ動線におけるハンドオーバの発生を示す図である。
【図８】図８は、グループセルの再構築処理を示すフローチャートである。
【図９】図９は、無線通信システムのセル構成を示す図である。
【図１０】図１０は、グループセル＃９１に着目した集計結果を示す図である。
【図１１】図１１は、セル再構築後のセル構成を示す図である。
【図１２】図１２は、グループセル＃９１に着目した集計結果を示す図である。
【図１３】図１３は、セル再構築後のセル構成を示す図である。
【図１４】図１４は、セル＃９２に着目した集計結果を示す図である。
【図１５】図１５は、セル＃９３に着目した集計結果を示す図である。
【発明を実施するための形態】
【００１４】
以下に、本発明にかかる無線通信システムの実施の形態を図面に基づいて詳細に説明する。なお、この実施の形態によりこの発明が限定されるものではない。
【００１５】
実施の形態１．
図１は、本実施の形態における自律的セル調整を行う無線通信システムの構成例を示す図である。無線通信システムは、ＳＯＮ（Self-Organizing  Network）サーバ１と、ＭＭＥ（Mobility  Management  Entity）−ＧＷ（Gateway）２と、基地局（ｅＮＢ：evolved  Node  B）３と、移動局４（ＵＥ：User  Equipment）と、基地局５と、から構成される。ＳＯＮサーバ１は、グループセルの形成および再構築を行うサーバである。ＭＭＥ−ＧＷ２は、移動局４の移動管理を行う移動局管理装置である。基地局３、５は、自局の通信エリアであるセル内で移動局４を収容可能な装置である。移動局４は、ユーザ等が通信を行う端末である。一例として、基地局を２つとしているが３つ以上にすることが可能である。また、移動局を２つ以上にすることが可能である。
【００１６】
ＳＯＮサーバ１は、無線伝送性能、ユーザ動線情報、基地局負荷情報、ユーザ分布情報、基地局における在圏ユーザ情報等を収集し集計するＳＯＮ情報収集部１１と、移動グループ、干渉グループ、ＣｏＭＰ（Coordinated  Multipoint）のためのグループセルを生成するＳＯＮグループ生成部１２と、を備える。
【００１７】
ＭＭＥ−ＧＷ２は、移動局の移動情報であるユーザ動線情報、移動局の分布を示すユーザ分布情報を収集するＭＭＥ−ＧＷ情報収集部２１と、ＲＡＢ（Radio  Access  Bearer）管理および高信頼データ伝送を行うＭＭＥ−ＧＷグループ制御部２２と、を備える。ＭＭＥ−ＧＷグループ制御部２２は、ＲＡＢ管理を行うＲＡＢ管理部２２１と、高信頼データ伝送を行う高信頼データ伝送部２２２と、を備える。
【００１８】
基地局（ｅＮＢ）３は、移動局４にて測定された無線伝送性能（移動局測定無線性能）、自局で測定した無線伝送性能（基地局測定無線性能）、ハンドオーバの成否を含むハンドオーバ情報、自局の動作負荷情報、自局のセルまたは自局のセルを含むグループセルの在圏ユーザ数などの在圏ユーザ情報等を収集する基地局情報収集部３１と、移動局との無線インタフェースを通して伝送制御を行う基地局伝送制御部３２と、グループセルを構成する基地局間でコネクション情報、上り伝送要求などのアクセス情報の同期をとるための基地局グループ制御部３３と、を備える。
【００１９】
基地局伝送制御部３２は、ＲＲＣ(Radio  Resource  Control）部３２１と、ＰＤＣＰ（Packet  Data  Control  Protocol）部３２２と、ＲＬＣ（Radio  Link  Control）部３２３と、ＭＡＣ（Media  Access  Control）部３２４と、ＨＡＲＱ（Hybrid  Automatic  Repeat  reQuest）部３２５と、を備える。ＲＲＣ部３２１は、移動局４のハンドオーバ、無線ベアラのメンテナンス等を管理する。ＰＤＣＰ部３２２は、ＭＭＥ−ＧＷ２や移動局４との間で送受信されるパケットのヘッダの圧縮・解凍等を行う。ＲＬＣ部３２３は、自局と移動局４との間の無線リンク（トラフィック）を制御する。ＭＡＣ部３２４は、移動局４からの上り帯域要求等を受け付け、アクセスを制御する。ＨＡＲＱ部３２５は、再送制御を行う。基地局伝送制御部３２の構成は、従来からの一般的な構成と同等である。
【００２０】
基地局グループ制御部３３は、ＲＲＣグループ制御部３３１と、ＭＡＣグループ制御部３３２と、を備える。ＲＲＣグループ制御部３３１は、同一グループセル内の他の基地局との間で、同一の制御チャネル情報を生成するためのＲＲＣメッセージの同期をとる。ＭＡＣグループ制御部３３２は、同一グループセル内の他の基地局との間で、移動局４からの上り帯域要求によるバースト転送のためのＰＤＣＣＨ（Physical  Downlink  Control  Channel）情報生成の同期をとる。
【００２１】
移動局（ＵＥ）４は、ＲＲＣ部４１と、ＰＤＣＰ部４２と、ＲＬＣ部４３と、ＭＡＣ部４４と、ＨＡＲＱ部４５と、を備える。ＲＲＣ部４１は、ハンドオーバ、無線ベアラのメンテナンス等を管理する。ＰＤＣＰ部４２は、基地局３との間で送受信されるパケットのヘッダの圧縮・解凍等を行う。ＲＬＣ部４３は、自局と基地局３との間の無線リンク（トラフィック）を制御する。ＭＡＣ部４４は、基地局３へ上り帯域要求等を送信し、アクセスを制御する。ＨＡＲＱ部４５は、再送制御を行う。移動局４の構成は、従来からの一般的な構成と同等である。移動局４からは、ハンドオーバ制御情報や受信電力（ＲＳＳＩ：Received  Signal  Strength  Indicator、ＣＩＮＲ：Carrier  Interference  Noise  Ratio）などの無線性能測定結果情報を基地局３へ通知する。
【００２２】
基地局（ｅＮＢ）５は、基地局情報収集部５１と、基地局伝送制御部５２と、基地局グループ制御部５３と、を備える。また、基地局伝送制御部５２は、ＲＲＣ部５２１と、ＰＤＣＰ部５２２と、ＲＬＣ部５２３と、ＭＡＣ部５２４と、ＨＡＲＱ部５２５と、を備え、基地局グループ制御部５３は、ＲＲＣグループ制御部５３１と、ＭＡＣグループ制御部５３２と、を備える。各構成の機能は基地局３と同等である。
【００２３】
このように構成された自律的セル調整を行う無線通信システムでは、ＭＭＥ−ＧＷ２がＭＭＥ−ＧＷ情報収集部２１で収集したユーザ分布情報等をＳＯＮサーバ１へ送信し、基地局３が基地局伝送制御部３２を通して収集した移動局４からの情報に、自局の基地局情報収集部３１で収集した在圏ユーザ情報等を加えてＳＯＮサーバ１へ送信する。ＳＯＮサーバ１では、ＳＯＮ情報収集部１１が、収集した情報を集計してスコアを算出し、ＳＯＮグループ生成部１２が、算出されたスコアに基づいて、複数の基地局から構成されるグループセル（移動グループ、干渉グループ、ＣｏＭＰグループ）を構築・再構築するかどうかを判断する。
【００２４】
ここで、移動グループは、ユーザの動線（移動）にあわせて、複数のセルを束ねて１つのセルとするグループセルを示す。干渉グループは、強いセル間干渉を作る複数のセルを１つのグループセルとするグループセルを示す。ＣｏＭＰグループは、ＣｏＭＰを実行する複数セルを１つのセルとするグループセルを示す。
【００２５】
つぎに、無線通信システムで使用するサブフレームの構成について説明する。図２は、サブフレームの構成例を示す図である。一例として、３ＧＰＰ（3rd  Generation  Partnership  Project）のＬＴＥ（Long  Term  Evolution）のサブフレームの構成を示す。サブフレームは、ユーザバースト（データ）を含むデータチャネル領域と、ユーザバーストのマッピング情報を含むＰＤＣＣＨ（Physical  Downlink  Control  Channel）と、フィードバック情報を伝送するＰＣＦＩＣＨ（Physical  Control  Format  Indicator）、ＨＡＲＱ（Hybrid  ARQ）の送達確認情報を伝送するＰＨＩＣＨ（Physical  Hybrid  ARQ  Indicator  Channel）からなる制御チャネル領域から構成される。
【００２６】
本実施の形態では、グループセルを構成する複数のセルの基地局が、この制御チャネル領域に含まれる制御チャネル情報を完全に同一とする。すなわち、ユーザ（ここでは、移動局４とする）の動線にあわせて作られたグループセルでは、移動局４がグループセル内のどのセルに移動しても、そのグループセル内の基地局から同じ制御チャネル情報を取得することを可能とする。具体的に、グループセルを構成するセルの基地局において、統合的な伝送制御装置を用いることなくＭＭＥ−ＧＷ２と基地局３のみで全く同じ制御チャネル情報（ＰＤＣＣＨ等）を生成する方法について説明する。
【００２７】
まず、基地局で用いられる制御チャネル情報について説明する。図３は、従来の基地局を備える無線通信システムにおいて生成されるメッセージを説明する図である。ここでは、説明の簡単のためＳＯＮサーバ１および基地局５を省略し、また、基地局３に換えて基地局３’を用いる。基地局３’は、基地局３から基地局グループ制御部３３を削除したものである。
【００２８】
制御チャネル情報（ＰＤＣＣＨ等）は、基地局３’のＭＡＣ部３２４で生成される。ＭＡＣ部３２４で生成される制御チャネル情報には、ＲＲＣ部３２１から伝達されるＲＲＣメッセージ１００１と、ＰＤＣＰ部３２２から伝達されるＩＰトラヒック１００２が含まれ、これらはＲＬＣ部３２３（ＲＬＣレイヤ）でセグメンテーションされ、新規ＲＬＣ  ＰＤＵ（Protocol  Data  Unit）１００３、１００５としてＭＡＣ部３２４に伝送される。ＭＡＣ部３２４は、ＨＡＲＱバーストとして制御チャネル情報を含むサブフレームを伝送する。また、ＲＬＣ部３２３は、ＲＬＣレイヤの送達確認より、ＲＬＣ再送ＰＤＵ１００４、１００６をＭＡＣ部３２４に伝送し、ＭＡＣ部３２４がＨＡＲＱバーストとして伝送する。
【００２９】
ＭＡＣ部３２４は、ＨＡＲＱ部３２５から下りＨＡＲＱの送達確認通知１００７を受信し、必要に応じてＨＡＲＱバーストを再送する。また、ＭＡＣ部３２４は、ＨＡＲＱ部３２５から上りＨＡＲＱバーストの受信通知１００８を受信し、上りＨＡＲＱバーストの再送用のデータバースト領域のためのＰＤＣＣＨ情報要素を必要に応じて生成する。また、ＭＡＣ部３２４は、移動局４のＭＡＣ部４４から上り帯域要求１００９を受けると、上りの送信機会を与えるためのＰＤＣＣＨ情報要素を生成する。
【００３０】
このように、基地局３’内では、ＲＲＣ送信、ＰＤＣＰ送信、ＲＬＣ再送、ＨＡＲＱ送達確認、ＨＡＲＱ受信、ＭＡＣ送信要求等によって制御チャネル情報（ＰＤＣＣＨ）が生成されることから、複数セルからなるグループセルを構成する基地局間では、これらの情報の共有をはかり、送信機会の同期をとることが必要となる。
【００３１】
つぎに、同一の制御チャネル情報を生成するにあたり、無線通信システム内で同一グループセルを構成する基地局間で、ＲＲＣメッセージを同期させる方法について説明する。図４は、ＲＲＣメッセージを同期させる方法を説明する図である。ここでは、移動局４が基地局３に在圏している場合に、ＲＲＣメッセージを同期させるうえでメッセージの送受信が行われる、ＭＭＥ−ＧＷ２、基地局３、５、移動局４を用いて説明する。また、基地局３、５の２つでグループセルを構成しているものとする。
【００３２】
まず、ＭＭＥ−ＧＷ２のＲＡＢ管理部２２１が、グループセルを構成する基地局３のＲＲＣ部３２１との間でＲＡＢコネクション３００１を確立する。同様に、基地局５のＲＲＣ部５２１との間でＲＡＢコネクション３００２を確立する。このとき、ＲＡＢコネクションを識別するためのＲＡＢ識別子は、同じグループセルに属する複数の基地局３、５のＲＡＢコネクション３００１、３００２に対して同じ値をとる。
【００３３】
つぎに、ＭＭＥ−ＧＷ２のＲＡＢ管理部２２１は、同じグループセルに属する基地局３、５へのＲＡＢコネクション３００１、３００２を通して、全基地局で同期しているフレーム番号を用いてメッセージ実行時間を指定したＲＡＢメッセージを送信する。同じグループセルに属する複数の基地局３、５のそれぞれのＲＲＣ部３２１、５２１では、ＲＡＢメッセージを受信すると、指定された時間に同期してＲＲＣメッセージ処理を実行する。これにより、ＲＲＣ部３２１、５２１で生成されるＲＲＣメッセージの下位レイヤ伝送タイミングを同期させることができる。
【００３４】
また、移動局４が在圏する基地局３では、ＲＲＣ部３２１が移動局４からＲＲＣメッセージを受信すると、ＲＬＣ部３２３でＰＤＵの組み立てを実施した後、ＲＲＣグループ制御部３３１が、ＲＬＣ部３２３からＲＲＣ部３２１へ伝送されるメッセージを取得する。ＲＲＣグループ制御部３３１は、同じグループセルに属する他の基地局（ここでは基地局５）へメッセージの実行時間をフレーム時間で指定し、ＲＲＣ同期情報３００３として転送する。基地局５では、ＲＲＣグループ制御部５３１がＲＲＣ同期情報３００３を受信し、ＲＲＣ部５２１へ転送する。
【００３５】
これにより、移動局４が在圏しない基地局５においても、移動局４からのＲＲＣメッセージを移動局４が在圏している基地局３のＲＲＣグループ制御部３３１から受信することで、基地局３と全く同じＲＲＣプロトコルを指定された時間に同期して実行することができる。
【００３６】
つづいて、同一の制御チャネル情報を生成するにあたり、無線通信システム内で同一グループセルを構成する基地局間で、移動局４から上り帯域要求を受けた場合に生成するＰＤＣＣＨ情報を同期させる方法について説明する。図５は、ＰＤＣＣＨ情報を同期して実行する方法を説明する図である。図４同様、移動局４が基地局３に在圏している場合に、ＰＤＣＣＨ情報を同期して実行するうえでメッセージの送受信が行われる、ＭＭＥ−ＧＷ２、基地局３、５、移動局４を用いて説明する。また、基地局３、５の２つでグループセルを構成しているものとする。
【００３７】
移動局４が在圏している基地局３では、ＭＡＣグループ制御部３３２が、移動局４から上りの帯域要求１００９（上り送信機会要求）を受信すると、この上り帯域要求の実行時間をフレーム番号で指定して、同じグループセルに属する他の基地局５のＭＡＣグループ制御部５３２へＭＡＣ同期情報３００４として通知する。基地局５では、ＭＡＣグループ制御部５３２が、指定された時間で上り帯域要求をＭＡＣ部５２４へ通知する。
【００３８】
これにより、同じグループセルに属する複数の基地局において、上り帯域要求による上りバースト転送のためのＰＤＣＣＨ情報を同時生成することができる。
【００３９】
つづいて、同一の制御チャネル情報を生成するにあたり、無線通信システム内で同一グループセルを構成する基地局間で、ユーザ平面のデータバーストの制御チャネル情報（ＰＤＣＣＨ）の同期をとる方法について説明する。図６は、ＰＤＣＣＨ情報の同期をとる方法を説明する図である。図４、５同様、移動局４が基地局３に在圏している場合に、ＰＤＣＣＨ情報の同期をとるうえでメッセージの送受信が行われる、ＭＭＥ−ＧＷ２、基地局３、５、移動局４を用いて説明する。また、基地局３、５の２つでグループセルを構成しているものとする。
【００４０】
図６において、ＭＭＥ−ＧＷ２のＲＡＢ管理部２２１は、基地局３、５のＲＲＣ部３２１、５２１との間でＲＡＢコネクションを確立し、ＲＬＣ部３２３、５２３における送達確認モードとＰＤＵサイズ、および、ＭＡＣ部３２４、５２４におけるＤＴＣＨ（Dedicated  Transport  Channel）の変調度を指定するための制御情報を通知する。また、ＭＭＥ−ＧＷ２の高信頼データ伝送部２２２は、消失訂正符号を用いた符号化パケットを用いた高信頼なデータ伝送を実行する。基地局３、５のＲＲＣ部３２１、５２１は、ＲＬＣ部３２３に対して送達確認モードとＲＬＣＰＤＵサイズを指示し、ＭＡＣ部３２４、５２４に対して変調度とバーストサイズを指示する。以下、各構成について詳細に説明する。
【００４１】
まず、ＭＭＥ−ＧＷ２のＲＡＢ管理部２２１は、グループセルに属する基地局３のＲＲＣ部３２１との間でＲＡＢコネクション３００１を確立する。そして、ＲＡＢ管理部２２１は、ＲＲＣ部３２１に対して、ＲＬＣ部３２３においてＲＬＣ動作モードを非送達確認モードに設定し、ＲＬＣＰＤＵサイズを固定長とする制御情報を、ＲＡＢコネクション３００１を介して通知する。また、ＲＡＢ管理部２２１は、ＲＲＣ部３２１に対して、ＭＡＣ部３２４における適応変調度を固定変調度モードとし、変調度、誤り訂正レート、バースト長を指定するための制御情報を、ＲＡＢコネクション３００１を介して通知する。このとき、ＭＭＥ−ＧＷ２の高信頼データ伝送部２２２は、基地局３のＰＤＣＰ部３２２との間で高信頼データ３００５を送受信している。
【００４２】
同様に、ＭＭＥ−ＧＷ２のＲＡＢ管理部２２１は、グループセルに属する基地局５のＲＲＣ部５２１との間でＲＡＢコネクション３００２を確立する。そして、ＲＡＢ管理部２２１は、ＲＲＣ部５２１に対して、ＲＬＣ部５２３においてＲＬＣ動作モードを非送達確認モードに設定し、ＲＬＣＰＤＵサイズを固定長とする制御情報を、ＲＡＢコネクション３００２を介して通知する。また、ＲＡＢ管理部２２１は、ＲＲＣ部５２１に対して、ＭＡＣ部５２４における適応変調度を固定変調度モードとし、変調度、誤り訂正レート、バースト長を指定するための制御情報を、ＲＡＢコネクション３００２を介して通知する。このとき、ＭＭＥ−ＧＷ２の高信頼データ伝送部２２２は、基地局５のＰＤＣＰ部５２２との間で高信頼データ３００６を送受信している。
【００４３】
基地局３のＲＲＣ部３２１は、ＣＲＬＣ＿ＣＯＮＦＩＧ＿ＲＥＱメッセージ３００７を用いて、ＲＬＣ部３２３に対して、グループセルに属する移動局４のＤＴＣＨに対し、再送制御を行わない非送達確認モードを設定し、ＲＬＣＰＤＵサイズが固定となるようサイズの指定を行う。同様に、基地局５のＲＲＣ部５２１は、ＣＲＬＣ＿ＣＯＮＦＩＧ＿ＲＥＱメッセージ３００９を用いて、ＲＬＣ部５２３に対して、グループセルに属する移動局４のＤＴＣＨに対し、再送制御を行わない非送達確認モードを設定し、ＲＬＣＰＤＵサイズが固定となるようサイズの指定を行う。
【００４４】
これにより、同じグループセルに属する全ての基地局３、５において、それぞれのＲＬＣ部３２３、５２３から同じサイズで同じデータを含むＲＬＣＰＤＵを、それぞれのＭＡＣ部３２４、５２４へ伝送することができる。
【００４５】
また、基地局３のＲＲＣ部３２１は、ＣＲＬＣ＿ＣＯＮＦＩＧ＿ＲＥＱメッセージ３００８を用いて、ＭＡＣ部３２４に対して、グループセルに属する移動局４のＤＴＣＨに対し、ＨＡＲＱの動作モードとして非送達確認モードを指定し、固定の誤り訂正レートとバーストサイズを指定する。同様に、基地局５のＲＲＣ部５２１は、ＣＲＬＣ＿ＣＯＮＦＩＧ＿ＲＥＱメッセージ３０１０を用いて、ＭＡＣ部５２４に対して、グループセルに属する移動局４のＤＴＣＨに対し、ＨＡＲＱの動作モードとして非送達確認モードを指定し、固定の誤り訂正レートとバーストサイズを指定する。
【００４６】
これにより、同じグループセルに属する全ての基地局３、５において、同一データで同一サイズのＨＡＲＱバーストの伝送を行うことができる。
【００４７】
さらに、同じグループセルに属する基地局３、５では、グループセルに在圏している移動局４に対して、それぞれＲＬＣ部３２３、５２３、およびＨＡＲＱ部３２５、５２５による再送制御を用いない。そのため、ＭＭＥ−ＧＷ２の高信頼データ伝送部２２２は、消失訂正符号を用いた符号化パケット伝送を行うことで高信頼データの伝送を実現することができる。このとき、ＭＭＥ−ＧＷ２では、符号化パケットの先頭パケットの送信タイミングを基地局のフレーム番号で指定することにより、同じグループセルに属する基地局３のＭＡＣ部３２４および基地局５のＭＡＣ部５２４においてＨＡＲＱバーストの送出タイミングを同期させることができる。また、各基地局３、５では、同じスケジューリングアルゴリズムによりＨＡＲＱバーストが構築されるため、先頭の符号化パケットの送出タイミングが同期することにより、以降の符号化パケットの送出タイミングについても同期させることができる。
【００４８】
このように、基地局３において基地局グループ制御部３３を構成するＲＲＣグループ制御部３３１およびＭＡＣグループ制御部３３２、基地局５において基地局グループ制御部５３を構成するＲＲＣグループ制御部５３１およびＭＡＣグループ制御部５３２を用いることにより、同じグループセルに属する基地局３、５の間で、ＲＲＣメッセージ、上り帯域要求、およびユーザ平面のデータ伝送を同期することができる。これにより、グループセルを構成する全基地局においてサブフレームの制御チャネル（ＰＤＣＣＨ）の同期送信を行うことができる。
【００４９】
ここで、自律的にセル調整を行う無線通信システムにおいて、ユーザ動線に応じて生成された移動グループに対するグループセルの効果を示す。図７は、ユーザ動線におけるハンドオーバの発生を示す図である。図７（ａ）は、セル＃７１〜＃７６を通信エリアとする６つの基地局が独立に伝送する方法を示す。また、図７（ｂ）は、２つのグループセル＃７８、＃７９を通信エリアとする２つのグループによって伝送する方法を示す。グループセル＃７８はセル＃７１〜＃７３で構成され、グループセル＃７９はセル＃７４〜＃７６で構成されている。
【００５０】
図７（ａ）では、それぞれのセル境界でハンドオーバが発生しているため、ユーザ動線７７においてハンドオーバが３回発生している。一方、図７（ｂ）では、グループセルの境界で発生しているだけであり、ユーザ動線７７においてハンドオーバの発生を１回に削減することができる。このように、自律的にセル調整を行う無線通信システムでは、フェムト基地局などの小型セルが導入されるＩＭＴ−Ａｄｖａｎｃｅｄにおいて有効であり、また、ハンドオーバの発生率を削減することができる。
【００５１】
つづいて、本実施の形態の無線通信システムにおけるグループセルの再構築を行う処理について説明する。図８は、グループセルの再構築処理を示すフローチャートである。ここでは、一例として、図９に示すセル構成がなされている無線通信システムを用いて説明する。図９は、無線通信システムのセル構成を示す図である。ここで、無線通信システムは、グループセル＃９１を構成する２つの基地局、セル＃９２〜＃９４の各セルを構成する３つの基地局の計５つの基地局を備えている。移動局４は、ユーザ動線９５に示す経路で移動するものとする。
【００５２】
まず、各基地局が、自局のセルに在圏している移動局および自局のハンドオーバ情報等を収集して、ＳＯＮサーバ１へ送信する。このとき、図示しないＭＭＥ−ＧＷ２も自装置で収集したユーザ分布情報等をＳＯＮサーバ１へ送信する（ステップＳ１）。
【００５３】
つぎに、ＳＯＮサーバ１では、ＳＯＮ情報収集部１１が、各基地局およびＭＭＥ−ＧＷ２から収集した情報を集計して管理する（ステップＳ２）。図１０は、グループセル＃９１に着目して集計した結果を示す図である。ユーザ動線情報を、あらかじめ設定された一定期間ごとにユーザ数を集計した表であり、ハンドオーバ前に移動局が在圏していたセルと、ハンドオーバ後に在圏しているセルを示す。ＳＯＮ情報収集部１１は、集計した結果を用いて「特定セルにハンドオーバした移動局数（１０１、１０２、１０３）／自セルからハンドオーバした移動局数（１０４）」の計算式によりスコアを算出する。
【００５４】
例えば、グループセル＃９１については、以下のようにスコアが算出される。
セル＃９２にハンドオーバした移動局数（１０１）／グループセル＃９１からハンドオーバした移動局数（１０４）＝８／１５
セル＃９３にハンドオーバした移動局数（１０２）／グループセル＃９１からハンドオーバした移動局数（１０４）＝０／１５
セル＃９４にハンドオーバした移動局数（１０３）／グループセル＃９１からハンドオーバした移動局数（１０４）＝７／１５
【００５５】
つぎに、ＳＯＮサーバ１では、ＳＯＮグループ生成部１２が、ＳＯＮ情報収集部１１で算出されたスコアを比較し、セルの再構築を判断する（ステップＳ３）。例えば、スコアが最大値となり、かつ、閾値以上となるセルをハンドオーバ元のグループセルに統合することを決定する。ここでは、グループセル＃９１からセル＃９２にハンドオーバした移動局数のスコアが最大値となり、かつ、閾値Ａ（例えば、０．４）を満たすため、セル＃９２をグループセル＃９１に統合する。これにより、ハンドオーバ発生頻度の低いグループセルを構築することができる。この場合、ＳＯＮグループ生成部１２が、再構築したグループセルの情報をＭＭＥ−ＧＷ２へ通知する（ステップＳ４）。
【００５６】
そして、ＭＭＥ−ＧＷ２では、ＲＡＢ管理部２２１が、再構築されたグループの各セルを形成する基地局に対して、グループセル間で制御チャネル情報の同期がとれるようにメッセージを送信する（ステップＳ５）。このとき、ＭＭＥ−ＧＷ２は、再構築されたグループの各セルを形成する基地局との間で通信を確立する。そして、グループセルを構成する各基地局の間で、制御チャネル情報の同期を確立する（ステップＳ６）。これらの処理は、いずれも前述の通りである。
【００５７】
図１１は、セル再構築後の無線通信システムのセル構成を示す図である。図９に示すグループセル＃９１から移動局が頻繁に移動していたセル＃９２をグループセル＃９１に統合して新たにグループセル＃１１１が構築されている。このようにセルを再構築することにより、移動局のハンドオーバの発生回数を抑えることができる。また、一定頻度に満たないセル＃９３、＃９４がグループセル＃９１に統合されることを防止することができる。
【００５８】
なお、グループセル＃９１に着目してグループセルを再構築する場合について説明したが、他のセルについても同様にスコアを算出し、グループセルの再構築を行うことが可能である。
【００５９】
以上説明したように、本実施の形態では、ＳＯＮサーバ、ＭＭＥ−ＧＷ、基地局、および移動局によって構成される無線通信システムにおいて、ＳＯＮサーバが、他装置から収集した情報に基づいてセルの再構築を判断し、グループセルを再構築する場合には、その旨をＭＭＥ−ＧＷへ通知する。ＭＭＥ−ＧＷは、同一グループセルを構成する基地局に対して、それぞれに同一のメッセージやデータを送信する。また、同一グループセルを構成する基地局間では、各基地局の基地局グループ制御部間でメッセージを交換し、制御チャネル情報の同期を取ることとした。これにより、ＳＯＮサーバでは、収集した情報に基づいて適宜セルの再構築を行うことができ、同一グループセルを構成する基地局では、ＳＯＮサーバの判断に追従して、容易に制御チャネル情報の同期を取ることができる。
【００６０】
実施の形態２．
本実施の形態では、ＳＯＮサーバが、実施の形態１と異なる判断基準でセルの再構築を行う。実施の形態１と異なる部分について説明する。
【００６１】
無線通信システムを構成する各装置の構成は、実施の形態１（図１参照）と同様である。ここでは、図９と同様、グループセルを構成する２つの基地局、および３つの各セルを構成する３つの基地局の５つの基地局を備える無線通信システムを用いて説明する。
【００６２】
実施の形態１では、自セルよりハンドオーバした全ての移動局を対象として、ハンドオーバが頻発するセルを自セルに統合していた。一方、ハンドオーバによって発生する通信の瞬断がユーザに影響するのは、音声通信が支配的になると考えられる。そのため、本実施の形態では、ハンドオーバした移動局のうち、音声通信を行っている移動局のハンドオーバのみを対象としてセルの再構築を判断する。
【００６３】
図８に示すグループセルの再構築処理において、ステップＳ１は実施の形態１と同様であるが、ステップＳ２において、ＳＯＮ情報収集部１１は次のように集計を行う。
【００６４】
図１２は、グループセル＃９１に着目して集計した結果を示す図である。図１０同様、あらかじめ設定された一定期間ごとにユーザ数を集計した表であるが、ここでは、音声通信、データ通信、位置登録などのシグナリングといった種別ごとに集計する。ＳＯＮ情報収集部１１は、集計した結果を用いて「特定セルにハンドオーバした音声通信中の移動局数（１２１、１２２、１２３）／自セルからハンドオーバした移動局数（１２４）」の計算式によりスコアを算出する。
【００６５】
例えば、グループセル＃９１については、以下に示すスコアが算出される。
セル＃９２にハンドオーバした音声通信中の移動局数（１２１）／グループセル＃９１からハンドオーバした移動局数（１２４）＝１／１５
セル＃９３にハンドオーバした音声通信中の移動局数（１２２）／グループセル＃９１からハンドオーバした移動局数（１２４）＝０／１５
セル＃９４にハンドオーバした音声通信中の移動局数（１２３）／グループセル＃９１からハンドオーバした移動局数（１２４）＝７／１５
【００６６】
つぎに、ＳＯＮサーバ１では、ＳＯＮグループ生成部１２が、ＳＯＮ情報収集部１１で算出されたスコアを比較し、セルの再構築を判断する（ステップＳ３）。ＳＯＮグループ生成部１２では、例えば、スコアが最大値となり、かつ、音声通信において閾値以上となるセルをハンドオーバ元のグループセルに統合することを決定する。ここでは、グループセル＃９１からセル＃９４にハンドオーバした移動局数のスコアが最大値となり、かつ、閾値Ｂ（例えば、０．４）を満たすため、セル＃９４をグループセル＃９１に統合する。その後のステップＳ４〜Ｓ６の処理は実施の形態１と同様である（図８参照）。これにより、音声通信中の移動局にとってハンドオーバ発生頻度の低いグループセルを構築することができる。
【００６７】
図１３は、セル再構築後の無線通信システムのセル構成を示す図である。図９に示すグループセル＃９１から移動局が頻繁に移動していたセル＃９４をグループセル＃９１に統合して新たにグループセル＃１３１が構築されている。このようにセルを再構築することにより、ユーザ動線１３２の経路で移動する音声通信中の移動局のハンドオーバの発生回数を抑えることができる。また、一定頻度に満たないセル＃９２、＃９３がグループセル＃９１に統合されることを防止することができる。
【００６８】
なお、グループセル＃９１に着目してグループセルを再構築する場合について説明したが、他のセルについても同様にスコアを算出し、グループの再構築を行うことが可能である。
【００６９】
以上説明したように、本実施の形態では、ＳＯＮサーバが、移動局の通信内容別にハンドオーバした移動局数を集計し、セルの再構築を判断することとした。これにより、通信の瞬断の影響が最も大きい種別の通信を行っている移動局について、ハンドオーバの回数を削減することができる。
【００７０】
実施の形態３．
本実施の形態では、ＳＯＮサーバが、実施の形態１の条件にさらに判断基準を加えてセルの再構築を行う。実施の形態１と異なる部分について説明する。
【００７１】
無線通信システムを構成する各装置の構成は、実施の形態１（図１参照）と同様である。ここでは、図９と同様、グループセルを構成する２つの基地局、および３つの各セルを構成する３つの基地局の５つの基地局を備える無線通信システムを用いて説明する。
【００７２】
実施の形態１では、グループセルの再構築の条件として、算出されたスコアを閾値のみで判定していたが、本実施の形態では、ハンドオーバした移動局数を新たな閾値として追加する。
【００７３】
図８に示すグループセルの再構築処理において、ステップＳ１は実施の形態１と同様であるが、ステップＳ２において、ＳＯＮ情報収集部１１は次のように集計を行う。
【００７４】
図１４は、セル＃９２に着目して集計した結果を示す図である。ＳＯＮ情報収集部１１は、集計した結果を用いて、実施の形態１と同様の計算式によってスコアを算出する。
【００７５】
例えば、セル＃９２については、以下に示すスコアが算出される。
グループセル＃９１にハンドオーバした移動局数（１４１）／セル＃９２からハンドオーバした移動局数（１４４）＝２／７
セル＃９３にハンドオーバした移動局数（１４２）／セル＃９２からハンドオーバした移動局数（１４４）＝３／７
セル＃９４にハンドオーバした移動局数（１４３）／セル＃９２からハンドオーバした移動局数（１４４）＝２／７
【００７６】
つぎに、ＳＯＮサーバ１では、ＳＯＮグループ生成部１２が、ＳＯＮ情報収集部１１で算出されたスコアを比較し、セルの再構築を判断する（ステップＳ３）。ＳＯＮグループ生成部１２では、例えば、実施の形態１における判断に従うと、ＳＯＮグループ生成部１２は、セル＃９３をセル＃９２に統合することを決定していたが、本実施の形態の判断に従うと、ハンドオーバした移動局数が、セルを統合する再構築を行うと判断するための下限値である閾値Ｃ（例えば、５）を満たさないため、セルの統合は行わないと判断する。なお、統合する判断をした場合、その後のステップＳ４〜Ｓ６の処理は実施の形態１と同様である（図８参照）。また、実施の形態１に基づいて説明したが、実施の形態２にも適用可能である。
【００７７】
以上説明したように、本実施の形態では、ＳＯＮサーバが、ハンドオーバの移動先として最も多いセルであっても、移動した移動局数が所定の閾値以下の場合には、セルの再構築を行わないこととした。これにより、ハンドオーバした移動局数が少ない場合に、セル統合を頻繁に行うことを防止することができる。
【００７８】
実施の形態４．
本実施の形態では、ＳＯＮサーバが、実施の形態１の条件にさらに判断基準を加えてセルの再構築を行う。実施の形態１と異なる部分について説明する。
【００７９】
無線通信システムを構成する各装置の構成は、実施の形態１（図１参照）と同様である。ここでは、図９と同様、グループセルを構成する２つの基地局、および３つの各セルを構成する３つの基地局の５つの基地局を備える無線通信システムを用いて説明する。
【００８０】
実施の形態１では、グループセルの再構築の条件として、算出されたスコアを閾値のみで判定していたが、本実施の形態では、グループセルに統合された基地局数を新たな閾値として追加する。
【００８１】
図８に示すグループセルの再構築処理において、ステップＳ１は実施の形態１と同様であるが、ステップＳ２において、ＳＯＮ情報収集部１１は次のように集計を行う。
【００８２】
図１５は、セル＃９３に着目して集計した結果を示す図である。ＳＯＮ情報収集部１１は、集計した結果を用いて、実施の形態１と同様の計算式によってスコアを算出する。
【００８３】
例えば、セル＃９３については、以下に示すスコアが算出される。
グループセル＃９１にハンドオーバした移動局数（１５１）／セル＃９３からハンドオーバした移動局数（１５４）＝４／８
セル＃９２にハンドオーバした移動局数（１５２）／セル＃９３からハンドオーバした移動局数（１５４）＝２／８
セル＃９４にハンドオーバした移動局数（１５３）／セル＃９３からハンドオーバした移動局数（１５４）＝２／８
【００８４】
つぎに、ＳＯＮサーバ１では、ＳＯＮグループ生成部１２が、ＳＯＮ情報収集部１１で算出されたスコアを比較し、セルの再構築を判断する（ステップＳ３）。ＳＯＮグループ生成部１２では、例えば、実施の形態１における判断に従うと、ＳＯＮグループ生成部１２は、グループセル＃９１をセル＃９３に統合することを決定していたが、本実施の形態の判断に従うと、グループセル＃９１およびセル＃９３を統合したグループセルの基地局数がセルを統合する再構築を行うと判断するための上限値である閾値Ｄ（例えば、２）を超過するため、統合を行わないと判断する。なお、統合する判断をした場合、その後のステップＳ４〜Ｓ６の処理は実施の形態１と同様である（図８参照）。また、実施の形態１に基づいて説明したが、実施の形態２、３にも適用可能である。
【００８５】
以上説明したように、本実施の形態では、ＳＯＮサーバが、ハンドオーバの移動先として最も多いセルであっても、移動元セルと移動先セルを統合したセルを構成する基地局数が所定の閾値以上の場合には、セルの再構築を行わないこととした。これにより、グループセルを構成する基地局が多くなった結果、グループ内の複数基地局で同一無線リソースを使用することによる収容可能な移動局数が低下することを防止することができる。
【産業上の利用可能性】
【００８６】
以上のように、本発明にかかる無線通信システムは、基地局が自局のセル内で移動局を収容する無線通信システムに有用であり、特に、複数の基地局でグループセルを構築する場合に適している。
【符号の説明】
【００８７】
１  ＳＯＮサーバ
１１  ＳＯＮ情報収集部
１２  ＳＯＮグループ生成部
２  ＭＭＥ−ＧＷ
２１  ＭＭＥ−ＧＷ情報収集部
２２  ＭＭＥ−ＧＷグループ制御部
２２１  ＲＡＢ管理部
２２２  高信頼データ伝送部
３、５  基地局
３１、５１  基地局情報収集部
３２、５２  基地局伝送制御部
３２１、５２１  ＲＲＣ部
３２２、５２２  ＰＤＣＰ部
３２３、５２３  ＲＬＣ部
３２４、５２４  ＭＡＣ部
３２５、５２５  ＨＡＲＱ部
３３、５３  基地局グループ制御部
３３１、５３１  ＲＲＣグループ制御部
３３２、５３２  ＭＡＣグループ制御部
４  移動局
４１  ＲＲＣ部
４２  ＰＤＣＰ部
４３  ＲＬＣ部
４４  ＭＡＣ部
４５  ＨＡＲＱ部
【図１】
0005306287.tif 000002
【図２】
0005306287.tif 000003
【図３】
0005306287.tif 000004
【図４】
0005306287.tif 000005
【図５】
0005306287.tif 000006
【図６】
0005306287.tif 000007
【図７】
0005306287.tif 000008
【図８】
0005306287.tif 000009
【図９】
0005306287.tif 000010
【図１０】
0005306287.tif 000011
【図１１】
0005306287.tif 000012
【図１２】
0005306287.tif 000013
【図１３】
0005306287.tif 000014
【図１４】
0005306287.tif 000015
【図１５】
0005306287.tif 000016